(57)【特許請求の範囲】
【請求項１】
ブレーキ液の流路が形成される基体と、この基体の一の側面に取り付けられる電動モータと、前記基体の他の側面に取り付けられる制御装置のケースと、が水平な一の方向に並んで配置された液圧制御ユニットと、車体と前記液圧制御ユニットとの間に介設された支持部材を有する液圧制御装置であって、
前記車体と前記基体との間に介設される基体支持部材と、前記車体と前記ケースとの間に介設されるケース支持部材と、を有し、
前記基体が前記基体支持部材に固定される基体取付部を少なくとも一つ有し、
前記ケースが前記ケース支持部材に固定されるケース取付部を少なくとも一つ有し、
前記車体に取付けられた前記液圧制御装置の重心位置が、前記ケースと前記基体との間にあり、
前記基体取付部と前記ケース取付部とは、前記一の方向を法線方向とし且つ前記液圧制御装置の重心位置を通る鉛直面を挟んで配設されていることを特徴とする液圧制御装置。
【請求項２】
前記ケース取付部は、前記ケースにインサート成形された固定具を有することを特徴とする請求項１に記載の液圧制御装置。
【請求項３】
前記基体取付部は、前記一の方向と直交する水平な他の方向を法線方向とし且つ前記液圧制御装置の重心位置を通る鉛直面を挟んで、複数個配設されていることを特徴とする請求項１または請求項２に記載の液圧制御装置。
【請求項４】
少なくとも２つの前記基体取付部、前記ケース取付部および前記液圧制御装置の重心位置を水平面に投影したときに、前記各基体取付部および前記ケース取付部は、前記液圧制御装置の重心位置を略中心とした前記ケース取付部を頂点とする略二等辺三角形状に配設されていることを特徴とする請求項３に記載の液圧制御装置。
【請求項５】
前記各支持部材および前記液圧制御ユニットの重心位置を水平面に投影したときに、前記各支持部材は三角形状の頂点を構成するように配設され、
前記各支持部材による三角形状の重心位置と、前記液圧制御ユニットの重心位置とが一致していることを特徴とする請求項１ないし請求項４のいずれか１項に記載の液圧制御装置。
【請求項６】
前記基体支持部材および前記ケース支持部材は、前記車体と前記液圧制御装置との間を鉛直方向に支持することを特徴とする請求項１ないし請求項５のいずれか１項に記載の液圧制御装置。
【発明の詳細な説明】
【技術分野】
【０００１】
本発明は、液圧制御装置に関する。詳しくは、車輪ブレーキに加わるブレーキ液圧を制御するための車両用ブレーキの液圧制御装置の取付構造に関する。
【背景技術】
【０００２】
車両用ブレーキの液圧制御装置は、油路（ブレーキ液の流路）や各種部品（電磁弁やポンプなど）が設けられる略直方体の基体と、この基体を間に挟んで配設される電動モータおよび制御装置のケースとをユニット化して構成されるものが多い（液圧制御ユニット）。このような液圧制御装置は、その電動モータ、液圧脈動などから発生する振動を車体に伝達させないように、振動を吸収する防振ゴムを介して車体に取り付けられている。
【０００３】
液圧制御装置の取付構造としては、前記した振動等の問題を解決するために、従来、基体の下部と車体との間に、三つの防振ゴムを有した略Ｌ字状のブラケットを介設することによって、基体を三点支持する構造が知られている（特許文献１参照）。
【先行技術文献】
【特許文献】
【０００４】
【特許文献１】特許第３７２０２７８号公報
【発明の概要】
【発明が解決しようとする課題】
【０００５】
近年の液圧制御装置の構造は、基体に設けられている電動モータの小型化、軽量化に伴い、省スペース化が進んでいる。さらには、ポンプを備えず、ポンプの構成品である電動モータを備えない液圧制御装置も現れている。この進展に伴い、従来電動モータと基体とが接続されている位置近傍にあった液圧制御装置の重心位置は、ケース寄りに移動しつつある。従って、特許文献１のような構造では、液圧制御装置の重心が複数ある支持の外に位置する場合があり、この結果、課題である振動等を防止する有効な解決手段となり得ないおそれが生じていた。
【０００６】
そこで、本発明では、近年の液圧制御装置の構造の進展を鑑み、効果的に振動等を防止できる液圧制御装置を提供することを主たる目的とする。
【課題を解決するための手段】
【０００７】
前記課題を解決するため、本発明に係る液圧制御装置は、ブレーキ液の流路が形成される基体と、この基体の一の側面に取り付けられる電動モータと、前記基体の他の側面に取り付けられる制御装置のケースと、が水平な一の方向に並んで配置された液圧制御ユニットと、車体と前記液圧制御ユニットとの間に介設された支持部材を有する液圧制御装置であって、前記車体と前記基体との間に介設される基体支持部材と、前記車体と前記ケースとの間に介設されるケース支持部材と、を有し、前記基体が前記基体支持部材に固定される基体取付部を少なくとも一つ有し、前記ケースが前記ケース支持部材に固定されるケース取付部を少なくとも一つ有し、前記車体に取付けられた前記液圧制御装置の重心位置が、前記ケースと前記基体との間にあり、前記基体取付部と前記ケース取付部とは、前記一の方向を法線方向とし且つ前記液圧制御装置の重心位置を通る鉛直面を挟んで配設されていることを特徴としている。
【０００８】
かかる構成によれば、車体に取り付けられた液圧制御装置の重心位置が前記基体と前記ケースとの間にある場合であっても、重心を挟んだ位置で液圧制御装置を支持することにより、モータ振動や油路の液圧脈動等の加振源に対して安定した支持を提供することができ、振動等を効果的に抑制することができる。
また、車体に取付けられた液圧制御装置のケースから基体への方向に対して、確実に重心を挟んだ位置で液圧制御装置を支持することにより、モータ振動や油路の液圧脈動等の加振源に対して安定した支持を提供することができ、振動等を効果的に抑制することができる。
【０００９】
また、前記基体支持部材を前記基体取付部に、前記ケース支持部材を前記ケース取付部に固定することによって、簡単な構造で確実に支持することができる。
なお、車体とは、支持部材を車体フレームに取り付けるためのブラケットを含むものである。車体フレームに固定されたブラケットを介して、制御ユニットを車体フレームに取り付ける場合では、振動等をより効果的に抑制することができる。
【００１０】
前記構成において、前記ケース取付部は、前記ケースにインサート成形された固定具を有する構成とすることができる。
【００１１】
かかる構成によれば、新たな組付け部品を要せず、容易に液圧制御装置を取り付けることができ、生産性の向上が図れる。
【００１６】
前記構成に加えて、前記基体取付部は、前記一の方向と直交する水平な他の方向を法線方向とし且つ前記液圧制御装置の重心位置を通る鉛直面を挟んで、複数個配設することができる。
【００１７】
前記した一の方向に加えて、直交した他の方向の重心を挟んだ位置で液圧制御装置を支持することにより、平面的に支持の内側に重心を位置させることができ、モータ振動や油路の液圧脈動等の加振源に対して安定した支持を提供することができ、振動等を効果的に抑制することができる。
【００１８】
前記構成に加えて、少なくとも２つの前記基体取付部、前記ケース取付部および前記液圧制御装置の重心位置を水平面に投影したときに、前記各基体取付部および前記ケース取付部は、前記液圧制御装置の重心位置を略中心とした前記ケース取付部を頂点とする略二等辺三角形状に配設することができる。
【００１９】
かかる構成によれば、重心を中心とした３点支持を実現することができ、液圧制御装置をより安定して保持することができ、振動等の抑制効果を高めることができる。
【００２０】
前記構成において、前記各支持部材および前記液圧制御ユニットの重心位置を水平面に投影したときに、前記各支持部材は三角形状の頂点を構成するように配設され、前記各支持部材による三角形状の重心位置と、前記液圧制御ユニットの重心位置とが一致することができる。
【００２１】
かかる構成によれば、３つの支持部材は、三角形状の頂点を構成するように配設され、各支持部材による三角形状の重心位置と、制御ユニットの重心位置とが一致しているため、モータ振動や油路の液圧脈動等の加振源に対して安定した支持を提供することができ、振動等を効果的に抑制することができる。
【００２２】
前記構成において、前記基体支持部材および前記ケース支持部材は、前記車体と前記液圧制御装置との間を鉛直方向に支持することができる。
【００２３】
かかる構成によれば、液圧制御装置を車体に取り付ける際に、一方向の組付け作業で容易に取り付けることができ、生産性を向上させることができる。
【発明の効果】
【００２６】
基体とケースとに支持部材をそれぞれ取り付ける構成では、車体に取り付けられた液圧制御装置の重心位置が基体とケースとの間にある場合であっても、液圧制御ユニットを安定して支持することができ、振動等を効果的に抑制することができる。
三角形状の頂点を構成するように３つの支持部材を配設し、各支持部材による三角形状の重心位置と、前記液圧制御ユニットの重心位置とを一致させた構成では、液圧制御ユニットを安定して支持することができ、振動等を効果的に抑制することができる。
【図面の簡単な説明】
【００２７】
【図１】第１実施形態に係る車両用ブレーキの液圧制御装置の取付構造における各構成部品を示す正面図である。
【図２】（ａ）は図１のＹ矢視方向から見た正面図で、液圧制御装置を取り付ける車体側については簡略化した説明図であり、（ｂ）は（ａ）を図１のＸ矢視方向から見た側面図で、（ｃ）は（ａ）を図１のＺ矢視方向から見た平面図で、支持部材と重心との位置関係だけを表した模式図である。
【図３】図１のＹ矢視方向から見た正面図であり、（ａ）は、ケース取付部およびケース支持部材の取り付け部分を断面図とした液圧制御装置の全体を表し、（ｂ）は、（ａ）のＡ部詳細であり、ケース取付部およびケース支持部材の取り付け部分の断面を拡大している。
【図４】図１のＹ矢視方向から見た正面図であり、基体取付部１１および基体支持部材の取り付け部分の拡大断面図である。
【図５】第２実施形態に係る液圧制御装置において、図１のＹ矢視方向から見た正面図であり、ケース取付部およびケース支持部材の取り付け部分の拡大断面図である。
【図６】第３実施形態に係る液圧制御装置において、（ａ）は、図１のＹ矢視方向から見た正面図で、ケース取付部およびケース支持部材の取り付け部分の拡大断面図であり、（ｂ）は、（ａ）の側面図である。
【図７】第４実施形態に係る液圧制御装置において、図１のＹ矢視方向から見た正面図であり、ケース取付部およびケース支持部材の取り付け部分の拡大断面図である。
【発明を実施するための形態】
【００２８】
［第１実施形態］
次に、本発明の実施形態について、適宜図面を参照しながら詳細に説明する。図１は本実施形態に係る車両用ブレーキの液圧制御装置の取付構造における各構成部品を示す正面図である。なお、以後、図１に示した方向Ｘ，Ｙ，Ｚを基準として説明する。ここで、Ｘは車体に取り付けられた液圧制御装置の平面的な一の方向であり、Ｙはこの平面的な一の方向と直交する平面的な他の方向（図１では、紙面垂直方向）であり、Ｚは鉛直方向である。なお、Ｙは図１の手前側を正としている。
【００２９】
図１に示すように、液圧制御装置２は、各種部材・機器が設けられる基体１０と、基体１０の第一取付面（他の側面）１０１に一体に固定され、電子制御ユニット（図示せず）などが収容されるケース３０と、基体１０の第二取付面（一の側面）１０２に一体に固定され、ブレーキ液を送るポンプ（図示せず）の動力となる電動モータ２０とを主に備えている。
【００３０】
ケース３０は、電子制御ユニットなどとの接続端子が埋設された支持板部を備えるコントロールケース３０Ａと、このコントロールケース３０Ａの開口部を密閉するコントロールカバー３０Ｂとを備えており、基体１０の第一取付面１０１にシール部材を介して取り付けられている。
【００３１】
電動モータ２０は、モータケース２１を備え、さらに内部にロータ（図示せず）を備えている。モータケース２１は、略有底円筒状に形成された部材であり、その開口部にモータフランジ２２が覆設されることによって、その内部にロータが収容されるようになっている。また、ロータの出力軸は、モータケース２１内や基体１０の第二取付面１０２側に設けられるボールベアリング（図示せず）により回転自在に支持されている。そして、この出力軸の適所には、偏心軸部が設けられ、偏心軸部には、ポンプのプランジャ（図示せず）を往復動させるために、その外周面でプランジャを適宜押圧するボールベアリング（図示せず）が設けられている。
【００３２】
基体１０は、略直方体に形成される金属部品であり、その各面には電磁弁などの各種機器を設置するための穴（孔）が適宜形成されており、その内部にはブレーキ液の通り道となる油路（図示せず）が適宜形成されている。
【００３３】
液圧制御装置２では、電動モータ２０自体の回転による振動発生とともに、前記のように、偏心軸部を回転させ、ポンプのプランジャを往復動させるため、図１のＺ方向およびＹ方向の振動が発生する。そして、基体１０の内部に複雑に配置されている油路、バルブ類の開閉の影響によって液圧の脈動が生じ、これは、複雑な方向性を有する振動源となっている。
【００３４】
次に、図２を参照して、液圧制御装置２を車体フレームに固定されたブラケットに取り付ける構造について説明する。なお、本実施形態では、車体フレームに固定されたブラケットを含めて「車体」としている。図２（ａ）は、図１と同じ方向から見た正面図であり、液圧制御装置２を取り付ける車体側については簡略化している。図２（ｂ）は、（ａ）をＸ矢視方向から見た側面図であり、図２（ｃ）は、（ａ）をＺ矢視方向から見た平面投影図であり、後記する支持部材と重心との位置関係だけを表した模式図である。
【００３５】
図２（ａ）に示すように、本実施形態に係る液圧制御装置２のＸ方向の重心ＧＣの位置は、基体１０とケース３０との境界部分にある。従来は電動モータ２０の重量が大きく、電動モータ２０寄りに位置していた重心が、電動モータ２０の軽量化等によって、ケース３０側に移動したためである。
【００３６】
本実施形態は、この重心ＧＣを挟むように、ケース取付部３１がケース３０に形成され、基体取付部１１が基体１０に形成されている。そして、液圧制御装置２は、ケース取付部３１に取り付けられたケース支持部材４２および基体取付部１１に取り付けられた基体支持部材４１を介して、車体の一部であるブラケット１に取り付けられている。
【００３７】
基体支持部材４１とケース支持部材４２は、重心ＧＣの鉛直方向軸である重力軸ＧＬと同方向、すなわちＺ方向（鉛直方向）に取り付けられる。液圧制御装置２の小型化・軽量化は、振動のエネルギ自体の低減にもつながっていることから、本実施形態のように一方向の取り付けとすることで、よりシンプルな構造で振動を減衰させることが可能になるとともに、組付け作業が容易となり、生産性の向上につながる。
【００３８】
なお、基体１０は、左右二つの基体取付部１１，１１を備えている。基体取付部１１，１１は、図２（ｂ）に示すように、重力軸ＧＬを挟むように配置されている。すなわち、基体１０は、Ｙ方向においては重心ＧＣを挟んで配置された二つの基体支持部材４１，４１を介してブラケット１に取り付けられている。このように配設し、取り付けることによって、重心ＧＣが支持位置の中に存することになり、液圧制御装置２の安定した取付状態を実現させ、振動防止効果を向上させている。
【００３９】
さらに、図２（ｃ）に示すように、二つの基体支持部材４１，４１、ケース支持部材４２および重心ＧＣをＸ−Ｙ平面に投影すると、重心ＧＣは、基体支持部材４１，４１およびケース支持部材４２を頂点とする略二等辺三角形の中心に位置する。このように基体支持部材４１，４１（基体取付部１１，１１）と、ケース支持部材４２（ケース取付部３１）が、平面的に等距離に配設され、取り付けられることにより、液圧制御装置２を、重心ＧＣを内部に存する３点支持とすることができ、より安定した取付状態を実現させ、振動防止効果を向上させている。
【００４０】
次にケース取付部３１の具体的な構造について図面を参照して説明する。図３（ａ）は、ケース取付部３１およびケース支持部材４２の取り付け部分を断面図とした液圧制御装置２の全体を表し、図３（ｂ）は、図２（ａ）のＡ部詳細であり、ケース取付部３１およびケース支持部材４２の取り付け部分の断面を拡大している。
【００４１】
ケース取付部３１は、図３（ａ）に示すように、ケース３０内に装備された電子回路やユニットを設計的に回避した下方の角部に配設され、Ｚ方向下側に開口を有するメネジが形成されている。そして、ブラケット１と結合したケース支持部材４２のボルトを、このメネジに螺合させることにより、ケース支持部材４２が、ケース３０に固定されている。以下取り付け部の詳細について説明する。
【００４２】
前記したようにケース３０は、電子制御ユニット等を覆うカバーであり、軽量な樹脂材料が使用されている。樹脂による成形は、一般に、液状の樹脂を型へ流し込み、熱を付加したり、硬化用の別の樹脂を混合させることで、要求形状に成形する。図３（ｂ）に示すように、本実施形態に係るケース取付部３１は、予めメネジが切られた有底孔を有し、中段に凹部が形成された埋設部材３５をケース３０の樹脂成形型に備えて、そこに樹脂を流し込んで硬化成形させる、いわゆるインサート成形が採用されている。かかる構成によれば、ケース３０側に新たな組付け部品を要せず、容易に液圧制御装置２を取り付けることができ、生産性の向上が図れる。
【００４３】
ケース支持部材４２は、車体フレームに固定されたブラケット１に穿設された取付孔５に予め嵌挿されたグロメット状のダンパ４３と、ダンパ４３の中央の孔に間挿される円筒状のスペーサ４４と、スペーサ４４の内孔に挿入され、ケース取付部３１の埋設部材３５のメネジに螺合されるボルト４５と、ボルト４５を螺合するための座金４６とで構成される。
【００４４】
ダンパ４３は、液圧制御装置２からブラケット１に伝達される振動を減衰させるものであり、図３（ｂ）に示すように、略中央にブラケット１に穿設された取付孔５と同じ径に切り込まれた平面方向（Ｘ−Ｙ方向）の小径部を有している。また、鉛直方向（Ｚ方向）には、後記するボルト４５等を間挿させる孔が形成されている。
【００４５】
ダンパ４３は、減衰効果を得るためにゴム等の弾性材が使用されており、中央部に孔を有することから、押しつぶしながら取付孔５に小径部が位置するように嵌挿される。かかる構成によって、液圧制御装置２をブラケット１に組付ける際に、部品が外れる等の不便を回避することができる。
【００４６】
スペーサ４４は、ダンパ４３の中央部の孔に間挿される。スペーサ４４は、後記するボルト４５のねじ込み量を規制するものであって、必要以上にダンパをつぶすことがないように設けられている。また、スペーサ４４を配することにより、振動環境においてボルト４５のネジ山がダンパ４３を傷つけることを防止し、さらにボルト４５を組付ける際にダンパ４３の干渉を受けず、容易に埋設部材３５のメネジにボルト４５を到達させ、螺合も容易となる。そして、このようにダンパ４３が配設されることによって、振幅の方向に依存せず、防振効果を発揮することができる。
【００４７】
ボルト４５は、前記したダンパ４３を介して、液圧制御装置２とブラケット１とを組付けるものである。このボルト４５としては、特に限定はなく、六角ボルト、孔付六角ボルト、座付きボルト等から選択することができる。
【００４８】
次に基体取付部１１の具体的な構造について図面を参照して説明する。図４は、図３（ａ）Ｂ部における基体取付部１１および基体支持部材４１の取り付け部分の拡大断面図である。
【００４９】
図４に示すように、基体取付部１１は、基体１０の下面から穿設されたメネジ１６からなる。それ以外の構成については、前記したケース取付部３１と同様であるため、同じ参照番号を付して説明を省略する。なお、ここで説明した基体取付部１１の形成手段は、ケース取付部にも同様に適用できることは言うまでもない。
【００５０】
［第２実施形態］
次に、本発明に係る液圧制御装置の第２実施形態について説明する。本実施形態における液圧制御装置において、前記した第１実施形態（図１等参照）と同一構成の部分は、同じ参照番号を付して重複する説明は省略し、第１実施形態と異なる部分を中心に説明する。
【００５１】
本実施形態は、第１実施形態とケース取付部の構造が異なり、これについて図面を参照して説明する。図５は、図２（ａ）のＡ部に該当するケース取付部およびケース支持部材の取り付け部分の拡大断面図である。
【００５２】
ケース取付部１３１は、図５に示すように、ケース３０に埋め込まれたピン１３５からなる。ピン１３５は、図５では円筒であるが、中実の円柱でも問題ない。ピン１３５のケース３０への埋め込みは、例えばケース３０が樹脂材料である場合は、第１実施形態の埋設部材３５（図３（ｂ）参照）と同様にインサート成形することができる。また、ケース３０が金属材料である場合は、ピン１３５を打ち込むことも可能である。
【００５３】
ケース支持部材１４２は、内径側でピン１３５を嵌挿するダンパ１４３と、ダンパ１４３の外径側で当接してダンパ１４３を嵌挿し、底部に孔１４７が形成されたカップ状のダンパケース１４４と、孔１４７よりも大径の頭部と小径のオネジが切られた円柱部を有し、頭部を上にして孔１４７に間挿されたボルト１４６と、ブラケット１を挟んでボルト１４６と螺合するナット１４５とから構成される。
【００５４】
このように本実施形態では、既に位置決めされ、装着されたピン１３５を、ダンパ１４３に嵌挿するだけでケース支持部材１４２を備えられ、ブラケット１にはナット１４５を螺合することによって容易に取り付けることができ、取付作業の生産性を向上することができる。なお、ここで説明したケース取付部１３１の形成手段は、金属製の基体１０の基体取付部にも同様に適用できることは言うまでもない。
【００５５】
［第３実施形態］
次に、本発明に係る液圧制御装置の第３実施形態について説明する。本実施形態における液圧制御装置において、前記した第１実施形態または第２実施形態と同一構成の部分は、同じ参照番号を付して重複する説明は省略し、異なる部分を中心に説明する。
【００５６】
本実施形態は、第１、第２実施形態とケース取付部の構造が異なり、これについて図面を参照して説明する。図６（ａ）は、図１もしくは図３（ａ）のＹ矢視方向から見た正面図であり、ケース取付部およびケース支持部材の取り付け部分の拡大断面図であり、図６（ｂ）は、（ａ）の側面図である。
【００５７】
本実施形態におけるケース取付部２３１は、図６に示すように、ケース３０に埋め込まれた部分のプレート２３５からなり、プレート２３５は、ケース取付部２３１と後記するケース支持部材２４２の両方の機能を兼ねている。プレート２３５は、側面から見ると薄板であって（図６（ｂ）参照）、正面から見ると尖端を平坦にした矢の形状としている（図６（ａ）参照）。プレート２３５のケース３０への埋め込みは、例えばケース３０が樹脂材料である場合は、第１実施形態の埋設部材３５（図３（ｂ）参照）と同様にインサート成形することができる。また、ケース３０が金属材料である場合は、プレート２３５をネジ等で機械的にケース３０に固定することも可能である。
【００５８】
ケース支持部材２４２は、プレート２３５の頭部２３５Ｔと同形状の隙間が形成されたダンパ２４３をブラケット１の凹部に嵌挿することで構成されている。プレート２３５は、矩形状の基部２３５Ｂ、絞り部２３５Ｍ、頭部２３５Ｔで構成された矢状の薄板であり、頭部２３５Ｔをダンパ２４３の隙間に押し入れることで、装着することができ、頭部２３５Ｔと絞り部２３５Ｍの段差がダンパ２４３の段差と係合するため、外れることはない。
【００５９】
このように本実施形態では、部品点数も少なく、スペースも取らない。そして、既に位置決めされ、装着されたプレート２３５を、ダンパ２４３に嵌入するだけでケース支持部材２４２を備えられ、ブラケット１へ容易に取り付けることができ、取付作業の生産性を向上させることができる。なお、ここで説明したケース取付部２３１の形成手段は、機械的な結合手段を用いて金属製の基体１０の基体取付部にも同様に適用できることは言うまでもない。また、図６に示した一実施例では、矢状のプレート２３５としているが、ダンパ２４３との係合ができる形状であれば、矢状に限定されることはない。
【００６０】
［第４実施形態］
次に、本発明に係る液圧制御装置の第４実施形態について説明する。本実施形態における液圧制御装置において、前記した第１ないし第３実施形態と同一構成の部分は、同じ参照番号を付して重複する説明は省略し、第１ないし第３実施形態と異なる部分を中心に説明する。
【００６１】
本実施形態は、第１ないし第３実施形態とケース取付部の構造が異なり、これについて図面を参照して説明する。図７は、Ｙ矢視方向から見た正面図であり、図２（ａ）のＡ部に該当するケース取付部およびケース支持部材の取り付け部分の拡大断面図である。
【００６２】
ケース取付部３３１は、図７に示すように、ケース３０に形成されたマウント用穴３３６からなる。マウント用穴３３６は、液圧制御装置を車体へ取り付ける方向に開口した有底の穴であり、後記するケース支持部材が挿入される。穴形状は、挿入されるケース支持部材の形状に依存するが、図７に示した実施例では、丸穴としている。
【００６３】
ケース支持部材３４２は、外周面がマウント用穴３３６の内周面に当接するようにマウント用穴３３６に嵌挿される円筒状のダンパ３４３と、ダンパ３４３の内孔に一端が嵌挿されるマウント３４６と、マウント３４６の他端に形成されたオネジに螺合し、ブラケット１と液圧制御装置を結合するナット３４５とから構成される。
【００６４】
ダンパ３４３は、前記した各実施形態と同様に、液圧制御装置が加振源となる振動がブラケット１に伝達されるのを抑制するものである。円筒状の一端は、マウント用穴３３６の底面に当接し、外周は、前記したようにマウント用穴３３６の内周面に当接し、円筒状の他端は、後記するマウント３４６に形成されたフランジ３４６Ｆと当接している。このようにダンパ３４３が配設されることによって、振幅の方向に依存せず、防振効果を発揮することができる。
【００６５】
マウント３４６は、大径の円盤状のフランジ３４６Ｆを間にして、一端にはフランジ３４６Ｆより小径の円柱状のピン３４６Ｐを、他端にはフランジ３４６Ｆより小さいネジ径のオネジ３４６Ｓが形成されている。ピン３４６Ｐは、フランジ３４６Ｆがダンパ３４３の端面に当接する位置まで、ダンパ３４３に形成された内孔に嵌挿される。
【００６６】
ブラケット１には取付孔５が形成され、オネジ３４６Ｓが挿通される。そして、フランジ３４６Ｆにおいてダンパ３４３の端面と当接する面とは反対側の端面がブラケット１に当接するように、ナット３４５をオネジ３４６Ｓに螺合することによって、ブラケット１とケース支持部材３４２とが固設される。
【００６７】
このように本実施形態では、ケース３０側の加工は、単に穴を形成するだけであり、作業工程の削減となる。また、ダンパ３４３、ピン３４６Ｐの順で、これらを既に位置決めされたマウント用穴３３６に嵌挿するだけでケース支持部材３４２を備えられ、ブラケット１にはナット３４５を螺合することによって容易に取り付けることができ、取付作業の生産性を向上することができる。なお、ここで説明したケース取付部３３１の形成手段は、金属製の基体１０の基体取付部にも同様に適用できることは言うまでもない。
【００６８】
以上、実施例を挙げて、各実施形態について説明したが、図面に記載したものに限定されることなく、その趣旨を逸脱しない範囲で設計変更が可能である。
例えば、各実施形態では、ケース取付部を１箇所、基体取付部を２箇所として説明しているが、重心や励振個所の位置や、振動の伝達経路の材料の特性や取付状態を鑑みて、防振効果が高い位置にそれぞれの取付部を配設してもよいし、取付部の数を増加することもできる。そして、３つの支持部材を制御ユニットに取り付ける場合には、３つの支持部材が平面的に三角形状の頂点を構成するように配設し、各支持部材による三角形状の重心位置と、制御ユニットの重心位置とを一致させることで、モータ振動や油路の液圧脈動等の加振源に対して安定した支持を提供することができ、振動等を効果的に抑制することができる。
【符号の説明】
【００６９】
１      ブラケット（車体）
２      液圧制御装置
１０    基体
１１    基体取付部
２０    電動モータ
３０    ケース
３１，１３１，２３１，３３１    ケース取付部
４１    基体支持部材
４２，１４２，２４２，３４２    ケース支持部材
ＧＣ    重心
ＧＬ    重力軸
１０１  第一取付面（他側面）
１０２  第二取付面（一側面）
【図１】
0005128507.tif 000002
【図２】
0005128507.tif 000003
【図３】
0005128507.tif 000004
【図４】
0005128507.tif 000005
【図５】
0005128507.tif 000006
【図６】
0005128507.tif 000007
【図７】
0005128507.tif 000008